(57)【特許請求の範囲】
【請求項１】
セルフ給油所における給油の決済を処理するセルフ給油所決済装置であって、
入金額をカウントする入金額カウント手段と、
前記入金額カウント手段にてカウントされた入金額から給油代金を減算して釣銭額を算出する演算手段と、
前記演算手段にて算出された釣銭額を、顧客毎に付与された会員番号に対応づけて記憶する記憶手段と、
前記会員番号が指定された場合、該会員番号に対応づけられた釣銭額を前記記憶手段から読み出す読出手段とを有し、
前記演算手段は、前記記憶手段から前記釣銭額が読み出された場合、該釣銭額に前記入金額カウント手段にてカウントされた入金額を加算した額を決済用入金額として決定し、該決済用入金額から給油代金を減算して前記釣銭額を算出するセルフ給油所決済装置。
【請求項２】
セルフ給油所における給油の決済を処理するセルフ給油所決済方法であって、
入金額をカウントする入金額カウント処理と、
前記入金額カウント処理にてカウントされた入金額から給油代金を減算して釣銭額を算出する演算処理と、
前記演算処理にて算出された釣銭額を、顧客毎に付与された会員番号に対応づけて記憶手段に記憶する記憶処理と、
前記会員番号が指定された場合、該会員番号に対応づけられた釣銭額を前記記憶手段から読み出す読出処理とを有し、
前記演算処理は、前記記憶手段から前記釣銭額が読み出された場合、該釣銭額に前記入金額カウント処理にてカウントされた入金額を加算した額を決済用入金額として決定し、該決済用入金額から給油代金を減算して前記釣銭額を算出するセルフ給油所決済方法。
【発明の詳細な説明】
【技術分野】
【０００１】
本発明は、セルフ給油所における給油の決済を処理するセルフ給油所決済装置及びセルフ給油所決済方法に関する。
【背景技術】
【０００２】
図５は、一般的なセルフ給油所のシステム構成を示す図である。
【０００３】
一般的なセルフ給油所においては、図５に示すように、給油を行うために来店した客は、セルフサービス外設機１０１にて入金をして給油をした後、セルフ給油所内のセルフサービス外設機１０１とは離れた場所に設置された精算機１０２に移動し、給油における代金を精算して釣銭を受け取って車に戻ることになる。
【０００４】
精算機１０２には、釣銭を常時収容しておく必要があるため、従業員は、精算機１０２の釣銭が少なくなったり無くなったりした場合に、釣銭の補充作業をしている。そのため、従業員の作業として釣銭補充が発生し、工数の無駄が発生してしまう。
【０００５】
ここで、給油における釣銭額をカード等の記憶媒体に書き込んでおき、次回の給油の際に、その記憶媒体に書き込まれた釣銭額を読み出して給油代に充当する技術が考えられており、特許文献１，２に開示されている。この技術を用いれば、従業員が釣銭を補充する作業をなくすことができるとともに、専用のカード等の記憶媒体を用いることで、次回も同じ店に来店させることができるようになる。
【先行技術文献】
【特許文献】
【０００６】
【特許文献１】特開平５−２７８７９４号公報
【特許文献２】特開平５−３１９４９６号公報
【発明の概要】
【発明が解決しようとする課題】
【０００７】
しかしながら、上述したようなセルフ給油所においては、釣銭を受け取るための精算機を入金及び給油を行う外設機とは別に設置しなければならないため、初期投資が高く、また、そのためのスペースが必要となってしまうという問題点がある。また、来店した客にとっては、釣銭を受け取るためにセルフ給油所内を移動しなければならないため、危険であり、常駐時間も長く、回転効率が悪くなってしまうという問題点がある。
【０００８】
また、上述したように釣銭額を記憶媒体に書き込んでおき、次回の給油の際に、その記憶媒体に書き込まれた釣銭額を読み出して給油代に充当するものにおいては、給油の度にその記憶媒体を持参しなければなれず、客にとって煩わしさが生じてしまうという問題点がある。
【０００９】
本発明は、上述したような問題点に鑑みてなされたものであって、システム構成を安価なものとするとともに、煩わしさを生じさせることがなく、来店した客が移動することなく給油及び精算を行うことができ、さらには、給油所内のスペースを有効活用することができるセルフ給油所決済装置及びセルフ給油所決済方法を提供することを目的とする。
【課題を解決するための手段】
【００１０】
上記目的を達成するために本発明は、
セルフ給油所における給油の決済を処理するセルフ給油所決済装置であって、
入金額をカウントする入金額カウント手段と、
前記入金額カウント手段にてカウントされた入金額から給油代金を減算して釣銭額を算出する演算手段と、
前記演算手段にて算出された釣銭額を、顧客毎に付与された会員番号に対応づけて記憶する記憶手段と、
前記会員番号が指定された場合、該会員番号に対応づけられた釣銭額を前記記憶手段から読み出す読出手段とを有し、
前記演算手段は、前記記憶手段から前記釣銭額が読み出された場合、該釣銭額に前記入金額カウント手段にてカウントされた入金額を加算した額を決済用入金額として決定し、該決済用入金額から給油代金を減算して前記釣銭額を算出する。
【００１１】
また、セルフ給油所における給油の決済を処理するセルフ給油所決済方法であって、
入金額をカウントする入金額カウント処理と、
前記入金額カウント処理にてカウントされた入金額から給油代金を減算して釣銭額を算出する演算処理と、
前記演算処理にて算出された釣銭額を、顧客毎に付与された会員番号に対応づけて記憶手段に記憶する記憶処理と、
前記会員番号が指定された場合、該会員番号に対応づけられた釣銭額を前記記憶手段から読み出す読出処理とを有し、
前記演算処理は、前記記憶手段から前記釣銭額が読み出された場合、該釣銭額に前記入金額カウント処理にてカウントされた入金額を加算した額を決済用入金額として決定し、該決済用入金額から給油代金を減算して前記釣銭額を算出する。
【発明の効果】
【００１２】
以上説明したように本発明においては、給油代金を入金する装置において給油における釣銭額を識別情報と対応づけて記憶しておき、次回の給油時に、指定された識別情報に対応づけられた釣銭額を給油の代金に充当するため、釣銭を排出する精算機が不要となり、それにより、システム構成が安価となるとともに、来店した客が移動することなく給油及び精算を行うことができ、さらには、給油所内のスペースを有効活用することができる。また、釣銭額を記憶しておく記憶媒体が不要となるため、来店する客にとって煩わしさが生じることがなくなる。
【図面の簡単な説明】
【００１３】
【図１】本発明のセルフ給油所決済装置の実施の一形態となるセルフ外設機の構成を示す図である。
【図２】図１に示したセルフ外設機の動作を説明するためのフローチャートである。
【図３】図１に示したセルフ外設機の表示部における表示を示す図である。
【図４】図１に示したプリンタ部からプリントアウトされるレシートの一例を示す図である。
【図５】一般的なセルフ給油所のシステム構成を示す図である。
【発明を実施するための形態】
【００１４】
以下に、本発明の実施の形態について図面を参照して説明する。
【００１５】
図１は、本発明のセルフ給油所決済装置の実施の一形態となるセルフ外設機の構成を示す図である。
【００１６】
本形態におけるセルフ外設機は図１に示すように、入金額カウント手段となる紙幣入金機２０と、ＣＯＭポート３０と、演算部８０と、読出手段となる書込／読出部４０と、記憶手段となるメモリ９０と、表示部５０と、入力部６０と、印刷手段となるプリンタ７０と、これらを制御するＣＰＵ１０とから構成されている。これの構成要素は、本発明での最低限の条件であり、ＰＯＳ端末の構成を限定するものではない。
【００１７】
紙幣入金機２０は、ＣＯＭポート３０と通信する機能を有し、紙幣を取り込み、取り込んだ紙幣による入金額をカウントする。
【００１８】
演算部８０は、紙幣入金機２０にてカウントされた入金額から給油代金を減算して釣銭額を算出する。また、書込／読出部４０によってメモリ９０から釣銭額が読み出された場合、その釣銭額に紙幣入金機２０にてカウントされた入金額を加算した額を決済用入金額として決定し、その決済用入金額から給油代金を減算して釣銭額を算出する。
【００１９】
メモリ９０は、不揮発性メモリであり、フラッシュＲＯＭ、およびコンパクトフラッシュ（登録商標）等のストレージデバイスの総称とする。
【００２０】
書込／読出部４０は、演算部８０にて算出された釣銭額を識別情報となるサービス券番号に対応づけてメモリ９０に記憶し、また、サービス券番号が入力部６０を介した入力によって指定された場合、指定されたサービス券番号に対応づけられた釣銭額をメモリ９０から読み出す。
【００２１】
表示部５０は、紙幣入金機２０にてカウントされた入金額や、メモリ９０から読み出された釣銭額や、演算部８０にて決定された決済用入金額等を表示するとともに、油種や給油量を選択するための情報を表示する。
【００２２】
入力部６０は、表示部５０上のタッチセンサによって構成され、表示部５０にて表示された情報の入力を受け付ける。
【００２３】
プリンタ部７０は、サービス券番号が掲載されたレシートをプリントアウトする。
【００２４】
以下に、上記のように構成されたセルフ外設機１の動作について説明する。
【００２５】
図２は、図１に示したセルフ外設機１の動作を説明するためのフローチャートである。また、図３は、図１に示したセルフ外設機１の表示部５０における表示を示す図である。
【００２６】
給油を行う客によって、紙幣入金機２０に紙幣が入金されると（ステップＡ１）、紙幣入金機２０にて入金額がカウントされ、カウントされた入金額がＣＯＭポート３０を介して書込／読出部４０に与えられ、メモリ９０に記憶される（ステップＡ２）。
【００２７】
すると、表示部５０において、紙幣入金機２０に入金された入金額が表示される。この入金額の表示は、図３（ａ）に示すように、紙幣入金機２０に入金された入金額とともに、その入金額を確定するための確定ボタン２ａが表示されることによって行われる（ステップＡ３）。
【００２８】
そして、入金をした客が表示部５０に表示された入金額を確認し、客によって確定ボタン２ａが押下されると（ステップＡ４）、表示部５０において、サービス券番号を入力するための画面が表示される（ステップＡ５）。この画面は、図３（ｂ）に示すように、サービス券番号を入力するためのサービス券番号入力ボタン３が表示されるとともに、サービス券番号入力ボタン３によって入力したサービス券番号を確定するための確定ボタン２ｂと、サービス券番号入力ボタン３への入力を行わない場合に押下するキャンセルボタン４とが表示されている。
【００２９】
給油を行う客は、前回給油した際にプリントアウトされたサービス券を持っている場合（ステップＡ６）、そのサービス券に掲載されたサービス券番号を、サービス番号入力ボタン３を用いて入力する（ステップＡ７）。
【００３０】
サービス番号入力ボタン３を用いてサービス券番号が入力され、確定ボタン２ｂが押下されると、書込／読出部４０において、メモリ９０に記憶された釣銭額のうち、入力されたサービス番号に対応づけられた釣銭額が読み出される（ステップＡ８）。
【００３１】
そして、演算部８０において、紙幣入金機２０にてカウントされた入金額とメモリ９０から読み出された釣銭額とが加算され、決済用入金額として表示部５０に表示される。図３（ｃ）に示すように、表示部５０には、紙幣入金機２０にてカウントされた入金額とメモリ９０から読み出された釣銭額とが加算された合算金額が表示されるとともに、その金額を確定するための確定ボタン２ｃが表示される。
【００３２】
そして、入金をした客が表示部５０に表示された合算金額を確認し、客によって確定ボタン２ｃが押下されると（ステップＡ９）、表示部５０において、図３（ｄ）に示すように、給油する油種を選択するための油種選択ボタン５が表示された画面が表示される。なお、給油を行う客が、前回給油した際にプリントアウトされたサービス券を持っておらず、図３（ｂ）に示したキャンセルボタン４を押下した場合においても、図３（ｄ）に示すような画面が表示部５０に表示される。
【００３３】
図３（ｄ）に示したような画面において、客によって、給油する油種の油種選択ボタン５が押下されると（ステップＡ１０）、表示部５０において、図３（ｅ）に示すように、互いに異なる指定方法によって給油量を指定するための給油量選択ボタン６が表示された画面が表示される。
【００３４】
そして、客によって、給油量選択ボタン６が押下されることにより、給油量が、指定方法及びその指定方法に応じた数量によって指定されると（ステップＡ１１）、給油が開始される（ステップＡ１２）。
【００３５】
その後、ノズルダウンすることにより（ステップＡ１３）、給油が終了すると（ステップＡ１４）、セルフ外設機１において、給油代金が算出される（ステップＡ１５）。
【００３６】
そして、演算部８０において、図３（ｃ）に示した画面にて表示された合算金額から給油代金が減算され、釣銭額が算出される（ステップＡ１６）。
【００３７】
演算部８０にて算出された釣銭額は、図３（ｆ）に示すように、給油代金とともに表示部５０に表示され、給油が完了した旨が客に通知される（ステップＡ１７）。
【００３８】
その後、書込／読出部４０において、演算部８０にて算出された釣銭額にサービス券番号が付与され（ステップＡ１８）、これらが互いに対応づけられてメモリ９０に記憶されるとともに（ステップＡ１９）、サービス券番号が掲載されたレシートがプリンタ部７０からプリントアウトされて発行される（ステップＡ２０）。
【００３９】
図４は、図１に示したプリンタ部７０からプリントアウトされるレシートの一例を示す図である。
【００４０】
図４に示すように、図１に示したプリンタ部７０からプリントアウトされるレシート７には、給油量や給油代金、入金額、釣銭額の他に、サービス券番号が掲載されている。
【００４１】
図４に示したレシート７を受け取った客は、次回給油を行う際に、レシート７に掲載されたサービス券番号を入力部６０に入力することにより、今回の釣銭額を次回の給油代金に充当することができる。
【００４２】
上述したように本形態においては、給油の決済にて生じた釣銭の代わりに、サービス券を発行し、このサービス券に掲載されたサービス券番号を用いて、今回の釣銭額を次回の給油代金に充当する構成としたため、釣銭を排出するための精算機が必要なくなり、システム構成が安価となる。また、このように釣銭を排出するための精算機が必要ないため、店舗従業員が釣銭を補充する作業がなくなるとともに、客が給油所内を移動する必要がなく、安全であるとともに客が常駐する時間短縮ができ回転効率が上がる。さらには、精算機を設置するスペースが不要となり、洗車の拭き上げ場所や、客の駐車スペース等、店舗スペースを有効活用することができる。
【００４３】
また、次回の給油代金を充当するためのサービス券番号が掲載されたサービス券を発行することで、次回の給油時も同じ店舗に来店するようになり、販促効果があり、また、記憶媒体を持参する煩わしさが生じない。
【００４４】
（他の実施の形態）
上述した実施の形態においては、サービス券番号と釣銭額とを対応づけて記憶したが、顧客毎に会員番号を付与しておき、この会員番号を用いることも考えられる。
【００４５】
その場合、会員番号と釣銭額とを対応づけてメモリ９０に記憶しておき、会員番号が指定された場合、その会員番号に対応づけられた釣銭額をメモリ９０から読み出して入金額に合算する。会員番号は、プリンタ部７０から発行されるレシートに印字しておいてもよいし、印字しなくてもよい。
【００４６】
また、上述したサービス券番号や会員番号は、１次元バーコードや２次元バーコードによって表現してプリンタ部７０にて印刷することも考えられる。その場合、セルフ外設機１に、これら１次元バーコードや２次元バーコードを読取可能な読取手段となるバーコードリーダを備え、このバーコードリーダによって１次元バーコードや２次元バーコードが読み取られることによって、サービス券番号や会員番号が認識され、書込／読出部４０において、このサービス券番号や会員番号に対応づけられた釣銭額がメモリ９０から読み出されることになる。
【符号の説明】
【００４７】
１    セルフ外設機
２ａ〜２ｃ    確定ボタン
３    サービス番号入力ボタン
４    キャンセルボタン
５    油種選択ボタン
６    給油量選択ボタン
７    レシート
１０    ＣＰＵ
２０    紙幣入金機
３０    ＣＯＭポート
４０    書込／読出部
５０    表示部
６０    入力部
７０    プリンタ部
８０    演算部
９０    メモリ
【図１】
0005451206.tif 000002
【図２】
0005451206.tif 000003
【図３】
0005451206.tif 000004
【図４】
0005451206.tif 000005
【図５】
0005451206.tif 000006